(57)【要約】 【課題】  視聴中に着信があると、応答することができない理由を相手に知らせることができる送受信装置を提供する。【解決手段】  メッセージテーブル部１５は、ジャンル情報が示すジャンルごとに対応する応答メッセージを記憶する。視聴中、すなわち映像／音声信号復号部１４がデータ分離部１２から受け取ったコンテンツを映像信号および音声信号に変換して、映像出力装置２へ出力中に、呼制御部１６が電話着信を検出すると、中央処理部２２は、視聴中の番組のジャンル情報を番組情報解析部１３から取得し、ジャンル情報が示すジャンルに対応する応答メッセージをメッセージテーブル部１５に記憶される第１の応答メッセージテーブル３１から読み出す。そして、メッセージテーブル部１５から読み出した応答メッセージを、呼制御部１６によって電話応答で送出する。【選択図】      図２
2009239369.tif 000002
【特許請求の範囲】
【請求項１】
音声によるメッセージを表すメッセージ情報を送信可能な電話機能を有する電話通信手段と、
少なくとも映像情報および音情報のいずれかを含み、複数のジャンルのうちのいずれかのジャンルに分類されるコンテンツを受信する受信手段と、
コンテンツを出力する出力手段と、
ジャンルごとに対応する予め定めるメッセージ情報を記憶する記憶手段と、
受信手段によって受信されたコンテンツを出力手段によって出力している間に、電話通信手段によって着信が検出されると、出力しているコンテンツのジャンルに対応するメッセージ情報を記憶手段から読み出し、読み出したメッセージ情報を電話通信手段によって送信させる制御手段とを含むことを特徴とする送受信装置。
【請求項２】
音声によるメッセージを表すメッセージ情報を送信可能な電話機能を有し、かつ複数種類の通信装置と通信可能な電話通信手段と、
着信があると発呼側の通信装置の種別を識別する識別手段と、
少なくとも映像情報および音情報のいずれかを含み、複数のジャンルのうちのいずれかのジャンルに分類されるコンテンツを受信する受信手段と、
コンテンツを出力する出力手段と、
通信装置の種別とコンテンツのジャンルとの組合せごとに対応する予め定めるメッセージ情報を記憶する記憶手段と、
受信手段によって受信されたコンテンツを出力手段によって出力している間に、電話通信手段によって着信が検出されると、識別手段によって識別された発呼側の通信装置の種別と、出力しているコンテンツのジャンルとの組合せに対応するメッセージ情報を記憶手段から読み出し、読み出したメッセージ情報を電話通信手段によって送信させる制御手段とを含むことを特徴とする送受信装置。
【請求項３】
番組情報を音声による番組音声情報に変換する変換手段を含み、
前記受信手段は、コンテンツの番組を表す番組情報をさらに受信し、
前記制御手段は、メッセージ情報を電話通信手段によって送信させるとき、受信手段によって受信された番組情報のうち出力しているコンテンツの番組情報を、変換手段によって番組音声情報に変換し、変換した番組音声情報をメッセージ情報に付加して、電話通信手段によって送信させることを特徴とする請求項１または２に記載の送受信装置。
【請求項４】
前記受信手段によって受信されたコンテンツを出力手段によって出力している間に、電話通信手段によって検出された着信を表す着信履歴情報を記憶する第２の記憶手段と、
表示手段とを含み、
前記制御手段は、出力手段によるコンテンツの出力が終了すると、第２の記憶手段に記憶される着信履歴情報を表示手段によって表示させることを特徴とする請求項１〜３のいずれか１つに記載の送受信装置。
【請求項５】
前記電話通信手段によって送信したメッセージ情報に応答して送信され、電話通信手段によって受信された応答音声情報を記憶する第３の記憶手段と、
応答音声情報を再生する再生手段とを含み、
前記制御手段は、出力手段によるコンテンツの出力が終了すると、第３の記憶手段に記憶される応答音声情報を再生手段によって再生させることを特徴とする請求項１〜４のいずれか１つに記載の送受信装置。
【発明の詳細な説明】
【技術分野】
【０００１】
本発明は、電話機能およびコンテンツの受信機能を有する送受信装置に関する。
【背景技術】
【０００２】
従来、送受信装置たとえば電話機能を有するＳＴＢ（セットトップボックス）あるいはテレビジョン受像機能を有する携帯電話機などで、テレビジョン放送を受信して視聴中に電話の着信があった場合、留守番電話モードに切り替えることによって、視聴の妨げを防止するものがある。
【０００３】
視聴の妨げを防止する第１の従来の技術として、携帯端末装置がある。この携帯端末装置は、携帯端末装置たとえば携帯電話機でテレビジョン放送の視聴中に着信があった場合、テレビジョン放送の内容に応じて着信の通知形態を変更することで、テレビジョン放送の視聴を妨げることなく、ユーザに対して着信通知を行う。具体的には、着信時に受信しているテレビジョン放送がコマーシャル放送ではない場合、テレビジョン放送の映像および音声の出力を継続させた状態で、ユーザに対して着信の通知、たとえば映像の片隅に着信メッセージの表示を行う。着信時に受信しているテレビジョン放送がコマーシャル放送である場合には、番組本編の視聴に影響が無いので、通常の着信通知、たとえば着信画面の表示および着信音の出力を行う（たとえば特許文献１参照）。
【０００４】
第２の従来の技術として、有料番組を視聴可能な放送受信機がある。この放送受信機は、有料番組を視聴中は留守番電話機を留守状態に設定し、かかってきた電話に留守番電話機が自動応答するものである（たとえば特許文献２参照）。
【０００５】
第３の従来の技術として、テレビ視聴機能を有する携帯機器がある。この携帯機器は、テレビ視聴中に着信があった場合は、自動的に留守番電話モードとして、発呼者に対して「電話に出られない旨」を伝えるものである（たとえば特許文献３参照）。
【０００６】
第４の従来の技術として、視聴状況に応じた着信処理形態でコンテンツの再生および着信処理を実行する通信端末がある。この通信端末は、放送受信中に着信を検出し、現在視聴中の放送番組の過去の視聴回数、視聴時間、あるいは凝視時間が規定値以上であると、放送番組の視聴を継続し、留守番電話モードに移行して着信を録音する。放送受信中でない場合に着信を検出すると、あるいは放送受信中に着信を検出し、視聴回数、視聴時間、あるいは凝視時間が規定値以上でないと、着信音を鳴動させることによって着信を報知する（たとえば特許文献４参照）。
【０００７】
第５の従来の技術として、デジタル放送受信装置がある。このデジタル放送受信装置は、番組視聴中における電話着呼時に、発呼者の優先度が番組の優先度より高いと、電話受信を行い、発呼者の優先度が番組の優先度より低く、一定時間内に電話を受信しないと、電話を受信する意志がないものと判断して自動的に留守番電話機能を開始する。番組の優先度は、番組ジャンル、あるいは課金情報・コピー制御条件などの番組属性によって決められる（たとえば特許文献５参照）。
【０００８】
第６の従来の技術として、通信端末がある。この通信端末は、映像を再生しているときあるいはＴＶ放送の映像を表示しているときに着信があった場合には、映像再生あるいは映像表示と着信報知とのいずれを優先するかの着信報知条件に従い着信報知を行う。着信報知条件が映像再生あるいは映像表示を優先すると設定されているときは着信報知を行わず、着信報知を優先すると設定されているときは着信報知を行う。さらに、着信を報知しない場合には、通信相手に対して映像再生あるいは映像表示が終了する時刻を応答メッセージとして通知する。着信報知条件は、たとえば重要な電話相手、あるいは重要な番組のほか、再生の月日・曜日・時間帯、通信端末の位置情報・移動速度、電池の残り容量、映像の属性、電話相手・番組の属性など、さらにこれらの組合せによっても設定することができる（たとえば特許文献６参照）。
【０００９】
【特許文献１】特開２００６―２２９４９８号公報
【特許文献２】特開平１１―２３４３９４号公報
【特許文献３】特開２００６−６７３３１号公報
【特許文献４】特開２００６−７４１０１号公報
【特許文献５】特開２００１−３３９６４８号公報
【特許文献６】特開２００５−１４２９７８号公報
【発明の開示】
【発明が解決しようとする課題】
【００１０】
しかしながら、第１の従来の技術は、着信時に受信しているテレビジョン放送がコマーシャル放送ではない場合、テレビジョン放送の映像および音声の出力を継続させた状態で、ユーザに対して着信の通知、たとえば映像の片隅に着信メッセージの表示を行うものであるが、応答することができない理由を相手に知らせることはできないという問題がある。
【００１１】
第２〜第５の従来の技術は、視聴中に着信があると、留守番録音で対応し、第６の従来の技術は、視聴中に着信があると、応答することができない旨のメッセージを応答するものであるが、いずれの従来の技術も、第１の従来の技術と同様に、応答することができない理由を相手に知らせることはできないという問題がある。
【００１２】
本発明の目的は、視聴中に着信があると、応答することができない理由を相手に知らせることができる送受信装置を提供することである。
【課題を解決するための手段】
【００１３】
本発明は、音声によるメッセージを表すメッセージ情報を送信可能な電話機能を有する電話通信手段と、
少なくとも映像情報および音情報のいずれかを含み、複数のジャンルのうちのいずれかのジャンルに分類されるコンテンツを受信する受信手段と、
コンテンツを出力する出力手段と、
ジャンルごとに対応する予め定めるメッセージ情報を記憶する記憶手段と、
受信手段によって受信されたコンテンツを出力手段によって出力している間に、電話通信手段によって着信が検出されると、出力しているコンテンツのジャンルに対応するメッセージ情報を記憶手段から読み出し、読み出したメッセージ情報を電話通信手段によって送信させる制御手段とを含むことを特徴とする送受信装置である。
【００１４】
本発明に従えば、電話機能を有する電話通信手段によって、音声によるメッセージを表すメッセージ情報が送信可能であり、受信手段によって、少なくとも映像情報および音情報のいずれかを含み、複数のジャンルのうちのいずれかのジャンルに分類されるコンテンツが受信され、出力手段によって、コンテンツが出力され、記憶手段によって、ジャンルごとに対応する予め定めるメッセージ情報が記憶される。そして、制御手段によて、受信手段によって受信されたコンテンツを出力手段によって出力している間に、電話通信手段によって着信が検出されると、出力しているコンテンツのジャンルに対応するメッセージ情報が記憶手段から読み出され、読み出されたメッセージ情報が電話通信手段によって送信されるので、視聴中に着信があると、応答することができない理由をコンテンツのジャンルに応じたメッセージ情報として相手に知らせることができる。
【００１５】
また本発明は、音声によるメッセージを表すメッセージ情報を送信可能な電話機能を有し、かつ複数種類の通信装置と通信可能な電話通信手段と、
着信があると発呼側の通信装置の種別を識別する識別手段と、
少なくとも映像情報および音情報のいずれかを含み、複数のジャンルのうちのいずれかのジャンルに分類されるコンテンツを受信する受信手段と、
コンテンツを出力する出力手段と、
通信装置の種別とコンテンツのジャンルとの組合せごとに対応する予め定めるメッセージ情報を記憶する記憶手段と、
受信手段によって受信されたコンテンツを出力手段によって出力している間に、電話通信手段によって着信が検出されると、識別手段によって識別された発呼側の通信装置の種別と、出力しているコンテンツのジャンルとの組合せに対応するメッセージ情報を記憶手段から読み出し、読み出したメッセージ情報を電話通信手段によって送信させる制御手段とを含むことを特徴とする送受信装置である。
【００１６】
本発明に従えば、電話機能を有する電話通信手段によって、音声によるメッセージを表すメッセージ情報が送信可能であり、識別手段によって、着信があると発呼側の通信装置の種別が識別され、受信手段によって、少なくとも映像情報および音情報のいずれかを含み、複数のジャンルのうちのいずれかのジャンルに分類されるコンテンツが受信され、出力手段によって、コンテンツが出力され、記憶手段によって、通信装置の種別とコンテンツのジャンルとの組合せごとに対応する予め定めるメッセージ情報が記憶される。そして、制御手段によって、受信手段によって受信されたコンテンツを出力手段によって出力している間に、電話通信手段によって着信が検出されると、識別手段によって識別された発呼側の通信装置の種別と、出力しているコンテンツのジャンルとの組合せに対応するメッセージ情報が記憶手段から読み出され、読み出されたメッセージ情報が電話通信手段によって送信されるので、視聴中に着信があると、応答することができない理由を発呼側の通信装置とコンテンツのジャンルの組合せに応じたメッセージ情報として相手に知らせることができる。
【００１７】
また本発明は、番組情報を音声による番組音声情報に変換する変換手段を含み、
前記受信手段は、コンテンツの番組を表す番組情報をさらに受信し、
前記制御手段は、メッセージ情報を電話通信手段によって送信させるとき、受信手段によって受信された番組情報のうち出力しているコンテンツの番組情報を、変換手段によって番組音声情報に変換し、変換した番組音声情報をメッセージ情報に付加して、電話通信手段によって送信させることを特徴とする。
【００１８】
本発明に従えば、変換手段によって、番組情報が音声による番組音声情報に変換され、前記受信手段によって、コンテンツの番組を表す番組情報が受信され、前記制御手段によって、メッセージ情報が電話通信手段によって送信されるとき、受信手段によって受信された番組情報のうち出力しているコンテンツの番組情報が、変換手段によって番組音声情報に変換され、変換された番組音声情報がメッセージ情報に付加されて、電話通信手段によって送信されるので、コンテンツのジャンルに加えて視聴中のコンテンツの情報も相手に知らせることができる。
【００１９】
また本発明によれば、コンテンツのジャンルに加えて視聴中のコンテンツの情報も相手に知らせることができるので、発呼者は、応答することができない理由をより詳細に知ることができる。
【００２０】
また本発明は、前記受信手段によって受信されたコンテンツを出力手段によって出力している間に、電話通信手段によって検出された着信を表す着信履歴情報を記憶する第２の記憶手段と、
表示手段とを含み、
前記制御手段は、出力手段によるコンテンツの出力が終了すると、第２の記憶手段に記憶される着信履歴情報を表示手段によって表示させることを特徴とする。
【００２１】
本発明に従えば、第２の記憶手段によって、前記受信手段によって受信されたコンテンツを出力手段によって出力している間に、電話通信手段によって検出された着信を表す着信履歴情報が記憶され、前記制御手段によって、出力手段によるコンテンツの出力が終了すると、第２の記憶手段に記憶される着信履歴情報が表示手段によって表示されるので、テレビジョン放送の視聴後、視聴中にあった着信の発呼者を知ることができる。
【００２２】
また本発明は、前記電話通信手段によって送信したメッセージ情報に応答して送信され、電話通信手段によって受信された応答音声情報を記憶する第３の記憶手段と、
応答音声情報を再生する再生手段とを含み、
前記制御手段は、出力手段によるコンテンツの出力が終了すると、第３の記憶手段に記憶される応答音声情報を再生手段によって再生させることを特徴とする。
【００２３】
本発明に従えば、第３の記憶手段によって、前記電話通信手段によって送信したメッセージ情報に応答して送信され、電話通信手段によって受信された応答音声情報が記憶され、再生手段によって、応答音声情報が再生され、前記制御手段によって、出力手段によるコンテンツの出力が終了すると、第３の記憶手段に記憶される応答音声情報が再生手段によって再生されるので、テレビジョン放送の視聴後、音声応答情報つまり留守番録音のメッセージを聞くことができる。
【発明の効果】
【００２４】
本発明によれば、視聴中に着信があると、応答することができない理由をコンテンツのジャンルに応じたメッセージ情報として相手に知らせることができるので、発呼者に対して応答することができない理由を明示するとともに、テレビジョン放送の視聴が妨げられることを防止することができる。
【００２５】
また本発明によれば、視聴中に着信があると、応答することができない理由を発呼側の通信装置とコンテンツのジャンルの組合せに応じたメッセージ情報として相手に知らせることができるので、発呼者に対して応答することができない理由を明示するとともに、テレビジョン放送の視聴が妨げられることを防止することができる。
【００２６】
また本発明によれば、コンテンツのジャンルに加えて視聴中のコンテンツの情報も相手に知らせることができるので、発呼者は、応答することができない理由をより詳細に知ることができる。
【００２７】
また本発明によれば、テレビジョン放送の視聴後、視聴中にあった着信の発呼者を知ることができるので、テレビジョン放送の視聴後その発呼者に連絡することができる。
【００２８】
また本発明によれば、テレビジョン放送の視聴後、音声応答情報つまり留守番録音のメッセージを聞くことができるので、テレビジョン放送の視聴後その発呼者の用件を聞くことができる。
【発明を実施するための最良の形態】
【００２９】
図１は、本発明の実施の一形態である電話機能付き映像受像機１を含むシステム構成を模式的に示す図である。送受信装置である電話機能付き映像受像機１は、たとえば電話機能を有するＳＴＢ（セットトップボックス）などによって構成される。
【００３０】
電話機能付き映像受像機１を含むシステムは、電話機能付き映像受像機１のほかに、映像出力装置２、子機３、およびドアホン４を含む。電話機能付き映像受像機１は、アンテナ５、ＬＡＮ（Local Area Network）６、およびＰＳＴＮ（Public Switched Telephone Networks）７に接続される。電話機能付き映像受像機１は、アンテナ５で受信するテレビジョン放送信号によって提供されるコンテンツ、あるいはＬＡＮ６に接続されるサーバなどの装置から提供されるコンテンツたとえばＶＯＤ（Video On Demand）で提供されるコンテンツを、たとえば液晶ディスプレイによって構成される映像出力装置２に出力する。さらに、電話機能付き映像受像機１は、ＰＳＴＮ７を介して他の電話機との通信を行ったり、コードレス通信などの無線通信によって子機３あるいはドアホン４と通信を行ったりすることができる。コンテンツは、たとえばテレビジョン放送で提供される番組、およびＶＯＤで提供される映画あるいは音楽などを含む。
【００３１】
図２は、図１に示した電話機能付き映像受像機１のブロック図である。電話機能付き映像受像機１は、受信部１１、データ分離部１２、番組情報解析部１３、映像／音声信号復号部１４、メッセージテーブル部１５、呼制御部１６、着信情報解析部１７、応答メッセージ生成部１８、音声信号処理部１９、メッセージ録音部２０、着信履歴制御部２１、および中央処理部２２、および図示しない記憶装置を含む。受信部１１は、アンテナ５からアナログもしくはデジタルのテレビジョン放送信号、またはＬＡＮ６からデジタル信号を受信し、受信した信号を復調してデータ分離部１２に送る。ＬＡＮ６からのデジタル信号は、ＶＯＤなどのコンテンツおよびサービス情報を含む符号化され多重変調された信号である。
【００３２】
データ分離部１２は、受信部１１から受け取った復調された信号を、コンテンツと、番組情報および番組のジャンルを表すジャンル情報を含むサービス情報とに分離し、コンテンツを映像／音声信号復号部１４に送り、サービス情報を番組情報解析部１３に送る。番組情報解析部１３は、データ分離部１２から受け取ったサービス情報を解析し、番組情報およびジャンル情報を抽出し、抽出した番組情報およびジャンル情報を中央処理部２２に送る。映像／音声信号復号部１４は、データ分離部１２から受け取ったコンテンツを映像信号および音声信号に復号して、映像出力装置２に出力する。
【００３３】
メッセージテーブル部１５は、ジャンル情報が示すジャンルごとに対応する応答メッセージを、図示しない記憶装置に記憶する。図示しない記憶装置は、たとえば半導体メモリあるいはハードディスク装置などによって構成される。記憶されている応答メッセージは、中央処理部２２によって読み出される。呼制御部１６は、電話機能および無線通信機能を有し、ＰＳＴＮ７あるいはＶｏＩＰ（Voice Over Internet Protocol）を介して接続される電話機と、電話機能付き映像受像機１に無線を介して接続される子機３およびドアホン４との通信制御、たとえば発信および着信制御を行う。呼制御部１６は、着信情報を着信情報解析部１７に送り、音声信号処理部１９から受け取る音声信号を発信する。着信情報は、呼制御部１６が着信によって受信した情報である。
【００３４】
着信情報解析部１７は、呼制御部１６から受け取った着信情報を解析し、着信が電話機からの外線着信、子機３からの内線着信、およびドアホン４からのドアホン着信のいずれであるかの解析を行い、解析結果を中央処理部２２に知らせる。着信情報にメッセージが含まれていると、着信メッセージとして中央処理部２２に送る。応答メッセージ生成部１８は、中央処理部２２から受け取った番組情報のタイトル部のキャラクタ情報から生成メッセージを生成する。そして、生成した生成メッセージおよび中央処理部２２から受け取った応答メッセージを音声信号処理部１９に送る。音声信号処理部１９は、受け取った応答メッセージおよび生成メッセージを音声信号に変換して、呼制御部１６に送る。
【００３５】
メッセージ録音部２０は、中央処理部２２から受け取った受信メッセージを図示しない記憶装置に録音つまり記憶し、さらに中央処理部２２からの指示によって、図示しない記憶装置から読み出した受信メッセージを中央処理部２２に送る。受信メッセージは、コンテンツを視聴中に受信したメッセージ、たとえば留守番録音されるメッセージである。着信履歴制御部２１は、中央処理部２２からの指示によって、着信の履歴を図示しない記憶装置に記憶し、記憶している着信履歴を映像信号に変換して映像出力装置２に出力する。さらに、中央処理部２２から受け取った受信メッセージを音声信号に変換して映像出力装置２に出力して再生する。
【００３６】
中央処理部２２は、たとえばＣＰＵ（Central Processing Unit）などによって構成され、図示しない記憶装置に記憶されるプログラムを実行することによって、番組情報解析部１３、メッセージテーブル部１５、着信情報解析部１７、応答メッセージ生成部１８、メッセージ録音部２０、および着信履歴制御部２１を制御する。
【００３７】
図３は、図１に示したメッセージテーブル部１５に記憶される第１の応答メッセージテーブル３１の例を示す図である。図３に示した第１の応答メッセージテーブル３１は、「ジャンル」および「メッセージ内容」の項目を含み、ジャンルごとに対応するメッセージ内容が示される。「ジャンル」は、コンテンツたとえば番組のジャンルであり、「メッセージ内容」は、視聴中にメッセージを応答する場合の音声によるメッセージを表すメッセージ情報、あるいは視聴中にメッセージを応答しない場合の動作を示す。
【００３８】
ジャンル「ドラマ」に対応するメッセージ内容は、「ただいまドラマ視聴中です。発信音の後にメッセージを録音ください。」であり、以下各ジャンルに対応するメッセージ内容は、ジャンル「映画」が、「ただいま映画視聴中です。発信音の後にメッセージを録音ください。」であり、ジャンル「スポーツ」が、「ただいまスポーツ視聴中です。発信音の後にメッセージを録音ください。」であり、ジャンル「演劇」が、「ただいま演劇視聴中です。発信音の後にメッセージを録音ください。」である。そして、ジャンル「音楽」、「バラエティ」、および「ニュース・報道」が、「メッセージなし  →  着信音鳴動」、すなわちメッセージで応答することなく着信音を鳴動することである。さらに、ジャンル「趣味・実用」が、「ただいま電話に出られません。発信音の後にメッセージを録音ください。」であり、ジャンル「ドキュメンタリー」が、「ただいま電話に出られません。発信音の後にメッセージを録音ください。」であり、ジャンル「アニメ・特撮」、「キッズ」、「教育」、「情報」、および「その他」が、「メッセージなし  →  着信音鳴動」である。
【００３９】
図４は、図１に示したメッセージテーブル部１５に記憶される第２の応答メッセージテーブル３２の例を示す図である。図４に示した第２の応答メッセージテーブル３２は、図３に示した第１の応答メッセージテーブル３１の代わりに用いられるテーブルであり、「着信情報」、「ジャンル」、および「メッセージ内容」の項目を含み、着信情報およびジャンルの組合せごとに対応するメッセージ内容が示される。着信情報は、外線着信（電話帳登録）つまり着信が電話帳に登録されている電話機からの外線着信、外線着信（電話帳未登録）つまり着信が電話帳に登録されていない電話機からの外線着信、子機３などの内線からの内線着信、およびドアホン４からのドアホン着信のいずれであるかを示す。
【００４０】
着信情報「外線着信（電話帳登録）」の各ジャンルについてのメッセージ内容は、図３に示した第１の応答メッセージの各ジャンルについてのメッセージ内容と同じであり、重複を避けるために説明は省略する。着信情報「外線着信（電話帳未登録）」の各ジャンルについてのメッセージ内容は、ジャンル「ドラマ」、「映画」、「スポーツ」、「演劇」、および「音楽」が、「ただいま留守にしております。発信音の後にメッセージを録音ください。」であり、ジャンル「バラエティ」および「ニュース・報道」が、「メッセージなし  →  着信音鳴動」であり、ジャンル「趣味・実用」および「ドキュメンタリー」が、「ただいま電話に出られません。発信音の後にメッセージを録音ください。」であり、ジャンル「アニメ・特撮」、「キッズ」、「教育」、「情報」、および「その他」が、「メッセージなし  →  着信音鳴動」である。
【００４１】
着信情報「内線着信」の各ジャンルについてのメッセージ内容は、ジャンル「ドラマ」が、「ただいまドラマ視聴中です。電話に出られません。」であり、ジャンル「映画」が、「ただいま映画視聴中です。電話に出られません。」であり、ジャンル「スポーツ」が、「ただいまスポーツ視聴中です。電話に出られません。」であり、ジャンル「演劇」が、「ただいま演劇視聴中です。電話に出られません。」であり、ジャンル「音楽」、「バラエティ」、「ニュース・報道」、「趣味・実用」、「ドキュメンタリー」、「アニメ・特撮」、「キッズ」、「教育」、「情報」、および「その他」が、「メッセージなし  →  着信音鳴動」である。着信情報「ドアホン着信」についてのメッセージ内容は、いずれのジャンルについても、「ジャンルによらず、着信」つまり着信音鳴動である。
【００４２】
図５は、図１に示した電話機能付き映像受像機１の第１の応答メッセージ送出処理のフローチャートである。受信部１１が受信を開始し、映像／音声信号復号部１４がデータ分離部１２から受け取ったコンテンツを映像信号および音声信号に変換して、映像出力装置２への出力を開始すると、ステップＡ１に移る。
【００４３】
ステップＡ１では、視聴中、すなわち映像／音声信号復号部１４がデータ分離部１２から受け取ったコンテンツを映像信号および音声信号に変換して、映像出力装置２へ出力中である。ステップＡ２では、呼制御部１６が電話着信を検出すると、ステップＡ３に進む。ステップＡ３では、中央処理部２２は、番組情報解析部１３が抽出した視聴中の番組のジャンル情報を取得する。ステップＡ４では、中央処理部２２は、ジャンル情報が示すジャンルに対応する応答メッセージをメッセージテーブル部１５に記憶される第１の応答メッセージテーブル３１から読み出す。
【００４４】
ステップＡ５では、応答メッセージがあるか否かを判定する。応答メッセージをメッセージテーブル部１５から読み出すことができると、応答メッセージがあると判定し、ステップＡ６に進む。応答メッセージをメッセージテーブル部１５から読み出すことができないと、たとえば第１の応答メッセージテーブル３１のメッセージ内容が、「メッセージなし  →  着信音鳴動」であると、応答メッセージがないと判定し、ステップＡ９に進む。
【００４５】
ステップＡ６では、中央処理部２２は、メッセージテーブル部１５から読み出した応答メッセージを、応答メッセージ生成部１８および音声信号処理部１９を経由して呼制御部１６に送り、呼制御部１６によって電話応答で応答メッセージを送出する。ステップＡ７では、中央処理部２２は、送出した応答メッセージに応答して送られてくるメッセージをメッセージ録音部２０に録音させる。ステップＡ８では、中央処理部２２は、着信履歴制御部２１によって、着信情報を着信履歴に格納つまり記憶し、第１の応答メッセージ送出処理を終了する。ステップＡ９では、中央処理部２２は、着信音を着信履歴制御部２１経由で映像出力装置２に出力して鳴動させ、第１の応答メッセージ送出処理を終了する。
【００４６】
図６は、図１に示した電話機能付き映像受像機１の第２の応答メッセージ送出処理のフローチャートである。第２の応答メッセージ送出処理は、図５に示した第１の応答メッセージ送出処理とは異なり、応答メッセージをメッセージテーブル部１５に記憶される第２の応答メッセージテーブル３２から読み出す。受信部１１が受信を開始し、映像／音声信号復号部１４がデータ分離部１２から受け取ったコンテンツを映像信号および音声信号に変換して、映像出力装置２への出力を開始すると、ステップＢ１に移る。ステップＢ１およびステップＢ２は、それぞれ図５に示したステップＡ１およびステップＡ２に対応するステップであり、重複を避けるために説明は省略する。
【００４７】
ステップＢ３では、中央処理部２２は、着信情報解析部１７から着信情報を取得する。すなわち、外線着信（電話帳登録もしくは電話帳未登録）か、内線着信か、ドアホン着信かを示す着信情報を取得する。ステップＢ４では、中央処理部２２は、番組情報解析部１３が抽出した視聴中の番組のジャンル情報を取得する。ステップＢ５では、中央処理部２２は、着信情報とジャンル情報が示すジャンルとの組合せに対応する応答メッセージをメッセージテーブル部１５に記憶される第２の応答メッセージテーブル３２から読み出す。ステップＢ６〜ステップＢ１０は、それぞれ図５に示したステップＡ５〜ステップＡ９に対応するステップであり、重複を避けるために説明は省略する。
【００４８】
図７は、図１に示した電話機能付き映像受像機１の第３の応答メッセージ送出処理のフローチャートである。第３の応答メッセージ送出処理は、図５に示した第１の応答メッセージ送出処理での応答メッセージに、番組情報に係る情報を付加する。受信部１１が受信を開始し、映像／音声信号復号部１４がデータ分離部１２から受け取ったコンテンツを映像信号および音声信号に変換して、映像出力装置２への出力を開始すると、ステップＣ１に移る。ステップＣ１〜ステップＣ５は、それぞれ図５に示したステップＡ１〜ステップＡ５に対応するステップであり、重複を避けるために説明は省略する。
【００４９】
ステップＣ６では、中央処理部２２は、番組情報解析部１３が抽出した視聴中の番組情報から番組タイトルを取得する。ステップＣ７では、中央処理部２２は、取得した番組タイトルのキャラクタ情報から音声データを、応答メッセージ生成部１８によって生成する。ステップＣ８では、中央処理部２２は、応答メッセージ生成部１８によって生成された音声データを、メッセージテーブル部１５から読み出した応答メッセージに合成する。
【００５０】
ステップＣ９では、中央処理部２２は、音声データが合成された応答メッセージを、応答メッセージ生成部１８および音声信号処理部１９を経由して呼制御部１６に送り、呼制御部１６によって電話応答で応答メッセージを送出する。ステップＣ１０〜ステップＣ１２は、それぞれ図５に示したステップＡ７〜ステップＡ９に対応するステップであり、重複を避けるために説明は省略する。
【００５１】
図８は、図１に示した電話機能付き映像受像機１の視聴終了時履歴表示処理のフローチャートである。受信部１１が受信を終了すると、ステップＤ１に移る。
【００５２】
ステップＤ１では、視聴終了、すなわち映像／音声信号復号部１４がデータ分離部１２から受け取ったコンテンツの映像信号および音声信号への変換を止め、映像出力装置２への出力を終了する。ステップＤ２では、中央処理部２２は、視聴中に着信があったか否かを判定する。着信履歴制御部２１によって着信履歴が記憶されていると、視聴中に着信があったと判定し、ステップＤ３に進み、着信履歴制御部２１によって着信履歴が記憶されていないと、視聴中に着信がなかったと判定し、視聴終了時履歴表示処理を終了する。
【００５３】
ステップＤ３では、中央処理部２２は、着信履歴制御部２１によって着信履歴を映像信号に変換し、映像出力装置２へ出力して表示する。ステップＤ４では、中央処理部２２は、録音があったか否かを判定する。メッセージ録音部２０によって録音されていると、録音があったと判定し、ステップＤ５に進み、メッセージ録音部２０によって録音されていないと、録音がなかったと判定し、視聴終了時履歴表示処理を終了する。ステップＤ５では、中央処理部２２は、メッセージ録音部２０によって録音されているメッセージを、着信履歴制御部２１によって音声信号に変換して、映像出力装置２に出力して再生する。ステップＤ６では、中央処理部２２は、次の録音があるか否かを判定する。メッセージ録音部２０に次の録音があると、ステップＤ５に戻り、メッセージ録音部２０に次の録音がないと、視聴終了時履歴表示処理を終了する。
【００５４】
上述した実施の形態では、本発明に係る送受信装置として、電話機能を有するＳＴＢなどの電話機能付き映像受像機１を例にして説明したが、本発明は、テレビジョン受像機能を有する携帯電話機、あるいは映像出力装置一体型（内蔵型）の通信機器などにも適用することができる。
【００５５】
このように、電話機能を有する電話通信手段であるたとえば呼制御部１６によって、音声によるメッセージを表すメッセージ情報が送信可能であり、受信手段であるたとえば受信部１１によって、少なくとも映像情報および音情報のいずれかを含み、複数のジャンルのうちのいずれかのジャンルに分類されるコンテンツが受信され、出力手段であるたとえば映像／音声信号復号部１４によって、コンテンツが出力され、記憶手段であるたとえばメッセージテーブル部１５によって、ジャンルごとに対応する予め定めるメッセージ情報が記憶される。そして、制御手段であるたとえば中央処理部２２によって、受信手段によって受信されたコンテンツを出力手段によって出力している間に、電話通信手段によって着信が検出されると、出力しているコンテンツのジャンルに対応するメッセージ情報が記憶手段から読み出され、読み出されたメッセージ情報が電話通信手段によって送信されるので、視聴中に着信があると、応答することができない理由をコンテンツのジャンルに応じたメッセージ情報として相手に知らせることができる。したがって、発呼者に対して応答することができない理由を明示するとともに、テレビジョン放送の視聴が妨げられることを防止することができる。
【００５６】
さらに、電話機能を有する電話通信手段である呼制御部１６によって、音声によるメッセージを表すメッセージ情報が送信可能であり、識別手段である着信情報解析部１７によって、着信があると発呼側の通信装置の種別が識別され、受信手段である受信部１１によって、少なくとも映像情報および音情報のいずれかを含み、複数のジャンルのうちのいずれかのジャンルに分類されるコンテンツが受信され、出力手段である映像／音声信号復号部１４によって、コンテンツが出力され、記憶手段であるたとえばメッセージテーブル部１５によって、通信装置の種別とコンテンツのジャンルとの組合せごとに対応する予め定めるメッセージ情報が記憶される。そして、制御手段であるたとえば中央処理部２２によって、受信手段によって受信されたコンテンツを出力手段によって出力している間に、電話通信手段によって着信が検出されると、識別手段によって識別された発呼側の通信装置の種別と、出力しているコンテンツのジャンルとの組合せに対応するメッセージ情報が記憶手段から読み出され、読み出されたメッセージ情報が電話通信手段によって送信されるので、視聴中に着信があると、応答することができない理由を発呼側の通信装置とコンテンツのジャンルの組合せに応じたメッセージ情報として相手に知らせることができる。したがって、発呼者に対して応答することができない理由を明示するとともに、テレビジョン放送の視聴が妨げられることを防止することができる。
【００５７】
さらにまた、変換手段であるたとえば音声信号処理部１９によって、番組情報が音声による番組音声情報に変換され、前記受信手段によって、コンテンツの番組を表す番組情報が受信され、前記制御手段によって、メッセージ情報が電話通信手段によって送信されるとき、受信手段によって受信された番組情報のうち出力しているコンテンツの番組情報が、変換手段によって番組音声情報に変換され、変換された番組音声情報がメッセージ情報に付加されて、電話通信手段によって送信されるので、コンテンツのジャンルに加えて視聴中のコンテンツの情報も相手に知らせることができる。したがって、発呼者は、応答することができない理由をより詳細に知ることができる。
【００５８】
さらに、第２の記憶手段であるたとえば図示しない記憶装置によって、前記受信手段によって受信されたコンテンツを出力手段によって出力している間に、電話通信手段によって検出された着信を表す着信履歴情報が記憶され、前記制御手段によって、出力手段によるコンテンツの出力が終了すると、第２の記憶手段に記憶される着信履歴情報が表示手段によって表示されるので、テレビジョン放送の視聴後、視聴中にあった着信の発呼者を知ることができる。したがって、テレビジョン放送の視聴後その発呼者に連絡することができる。
【００５９】
さらにまた、第３の記憶手段であるたとえばメッセージ録音部２０によって、前記電話通信手段によって送信したメッセージ情報に応答して送信され、電話通信手段によって受信された応答音声情報が記憶され、再生手段であるたとえば音声信号処理部１９によって、応答音声情報が再生され、前記制御手段によって、出力手段によるコンテンツの出力が終了すると、第３の記憶手段に記憶される応答音声情報が再生手段によって再生されるので、テレビジョン放送の視聴後、音声応答情報つまり留守番録音のメッセージを聞くことができる。したがって、テレビジョン放送の視聴後その発呼者の用件を聞くことができる。
【図面の簡単な説明】
【００６０】
【図１】本発明の実施の一形態である電話機能付き映像受像機１を含むシステム構成を模式的に示す図である。
【図２】図１に示した電話機能付き映像受像機１のブロック図である。
【図３】図１に示したメッセージテーブル部１５に記憶される第１の応答メッセージテーブル３１の例を示す図である。
【図４】図１に示したメッセージテーブル部１５に記憶される第２の応答メッセージテーブル３２の例を示す図である。
【図５】図１に示した電話機能付き映像受像機１の第１の応答メッセージ送出処理のフローチャートである。
【図６】図１に示した電話機能付き映像受像機１の第２の応答メッセージ送出処理のフローチャートである。
【図７】図１に示した電話機能付き映像受像機１の第３の応答メッセージ送出処理のフローチャートである。
【図８】図１に示した電話機能付き映像受像機１の視聴終了時履歴表示処理のフローチャートである。
【符号の説明】
【００６１】
１  電話機能付き映像受像機
２  映像出力装置
３  子機
４  ドアホン
５  アンテナ
６  ＬＡＮ
７  ＰＳＴＮ
１１  受信部
１２  データ分離部
１３  番組情報解析部
１４  映像／音声信号復号部
１５  メッセージテーブル部
１６  呼制御部
１７  着信情報解析部
１８  応答メッセージ生成部
１９  音声信号処理部
２０  メッセージ録音部
２１  着信履歴制御部
２２  中央処理部
【図１】
2009239369.tif 000003
【図２】
2009239369.tif 000004
【図３】
2009239369.tif 000005
【図４】
2009239369.tif 000006
【図５】
2009239369.tif 000007
【図６】
2009239369.tif 000008
【図７】
2009239369.tif 000009
【図８】
2009239369.tif 000010